(57)【要約】【課題】  眼科手術用注射器システムを提供する。【解決手段】  眼科手術用注射器システム（１００）が、注射器（１）であって、ハンドピース（２）、プランジャ（３）及び分注デバイス（４）を有する注射器（１）と、眼内レンズ（５）であって、光学体（６）、光学体（６）から突出しているＣ字型第１ハプティックアーム（７１）及び光学体（６）から突出しているＣ字型第２ハプティックアーム（７２）を含む眼内レンズ（５）と、眼内レンズ（５）が受け入れられるカートリッジ（８）であって、注射器（１）に挿入されるカートリッジ（８）と、接触面（１２）を有する駆動要素（１１）と、係止要素であって、それによりハンドピース（２）又はカートリッジ（８）に対するプランジャ（３）の位置が係止され得る係止要素とを含む。プランジャ（３）は第１位置において係止され得、第１位置において、眼内レンズ（５）が、第１ハプティックアーム（７１）から第２ハプティックアーム（７２）への外側距離が８ｍｍより大きく１１ｍｍ未満である圧縮され予備張力をかけられた状態においてカートリッジ（８）において保持される。【選択図】      図１
2021531919.tif 000002
【特許請求の範囲】
【請求項１】
眼科手術用注射器システム（１００）であって、
−  注射器（１）であって、ハンドピース（２）、プランジャ（３）、及び分注デバイス（４）を含む注射器（１）と、
−  眼内レンズ（５）であって、光学体（６）、前記光学体（６）から突出しているＣ字型第１ハプティックアーム（７１）、及び前記光学体（６）から突出しているＣ字型第２ハプティックアーム（７２）を含む眼内レンズ（５）と、
−  前記眼内レンズ（５）を受けるように構成されたカートリッジ（８）であって、前記注射器（１）が前記カートリッジ（８）を受けるように構成されたカートリッジ（８）と、
−  接触面（１２）を有する駆動要素（１１）と、
−  前記ハンドピース（２）又は前記カートリッジ（８）に対して前記プランジャ（３）の位置を係止するように構成された係止要素と
を含み、
前記分注デバイス（４）が、基端部に入口開口（４１）を、及び末端部（３１）に出口開口（４２）を有し、
前記プランジャ（３）が、前記プランジャ（３）の前進移動により、前記眼内レンズ（５）を前記カートリッジ（８）を通じて、及び次いで前記分注デバイス（４）の前記入口開口（４１）から前記出口開口（４２）へ運ぶように構成され、
前記係止要素が、前記プランジャ（３）を第１位置において係止するように構成され、前記第１位置において、前記眼内レンズ（５）が前記カートリッジ（８）において、前記第１ハプティックアーム（７１）から前記第２ハプティックアーム（７２）への外側距離が８ｍｍより大きく１１ｍｍ未満である、圧縮され予備張力をかけられた状態において保持され、
前記駆動要素（１１）が、前記プランジャ（３）の前進移動を第２位置まで少なくとも２ｍｍ〜最大で４ｍｍだけ達成するために、前記駆動要素（１１）の直線移動又は枢動移動により前記駆動要素（１１）の前記接触面（１２）を前記プランジャ（３）と係合させるように構成され、その結果として前記第１ハプティックアーム（７１）の小区域（５１）及び前記第２ハプティックアーム（７２）の小区域（５１）が前記光学体（６）より上に配置され、
前記係止要素が前記プランジャ（３）を前記第２位置において係止するように構成される、眼科手術用注射器システム（１００）。
【請求項２】
前記直線移動が牽引移動であり、
前記駆動要素（１１）が、前記プランジャ（３）の前記前進移動を、前記プランジャ（３）の前記前進移動の方向に垂直な前記牽引移動に応答して実行するように構成される、請求項１に記載の眼科手術用注射器システム（１００）。
【請求項３】
前記カートリッジ（８）が、
支持レールであって、前記プランジャ（３）の前記第１位置から前記第２位置への前記前進移動中に前記第１ハプティックアーム（７１）及び前記第２ハプティックアーム（７２）を支持するように構成された支持レール
をさらに含む、請求項１に記載の眼科手術用注射器システム（１００）。
【請求項４】
前記眼内レンズ（５）が疎水性アクリルポリマーでできている、請求項１に記載の眼科手術用注射器システム（１００）。
【発明の詳細な説明】
【技術分野】
【０００１】
関連出願の相互参照
この出願は、２０１８年８月２日に出願された米国特許出願第１６／０５３，３１２号明細書に対する優先権を主張するものであり、当該出願の開示は参照によりその全体が本明細書に組み込まれる。
【０００２】
本開示は、眼科手術用注射器システムであって、注射器、眼内レンズ、カートリッジ、駆動要素、及び係止要素を有する眼科手術用注射器システムに関する。
【背景技術】
【０００３】
医学の分野で白内障と呼ばれるヒトの目のレンズの白濁において、水晶体嚢から白濁したレンズを取り外すことが医学的に必要である場合がある。この目的のために一般に使用される方法はレンズの超音波水晶体乳化吸引術であり、超音波水晶体乳化吸引術においては患者の白濁したレンズは、超音波により乳化されて小さな粒子になり、次いで吸引される。外科医は、続いて人工眼内レンズをそのときレンズの無い水晶体嚢に挿入する。
【０００４】
この目的のために、外科医は注射器を有する注射器システムを使用し得る。注射器はハンドピース、及びプランジャであって、ハンドピースにおいて案内されるとともにその中で長手方向に可動である、プランジャを有する。加えて、注射器は光学体を備えた眼内レンズを有する。眼内レンズは、２つのＣ字型ハプティックアームであって、光学体から突出するとともに互いに反対側にあるように配置される２つのＣ字型ハプティックアーム、すなわち第１ハプティックアーム及び第２ハプティックアームを有し得る。ハプティックアームは、患者がより良好な視力を取り戻し得るように、水晶体嚢の内側壁と接触する働き及び水晶体嚢内の中心に光学体を向ける働きをする。
【０００５】
注射器システムはさらにカートリッジであって眼内レンズを受け入れるカートリッジを有し、カートリッジは注射器に挿入可能である。ハンドピース及びプランジャに加えて、注射器は分注デバイスを有し、分注デバイスは基端部に入口開口を、及び末端部に出口開口を有する。プランジャの前進移動により、眼内レンズはカートリッジを通じて運ばれ得、そこから分注デバイスを通じて出口開口の方向へ運ばれ得る。手術中、外科医は、注射器の出口開口を目の角膜を通じて水晶体嚢まで押し通すことにより注射器を使用する。次いで、プランジャの前進移動が増加するにつれ、外科医は眼内レンズが分注デバイスを通じて挿入され、そこから水晶体嚢内へ挿入されたことを確信する。眼内レンズは、ハプティックアームが水晶体嚢の内側壁に当接するようになるような方法で水晶体嚢内で広がり、このようにして、光学体は水晶体嚢内の中心に向けられる。
【０００６】
眼内レンズは最初にカートリッジにおいて張力がかかっていない状態である。第１ハプティックアームから他方の、第２ハプティックアームへの外側距離又は眼内レンズの外径は張力がかかっていない状態においておよそ１２ｍｍである。眼内レンズは、例えば、２つの翼状部要素をカートリッジのヒンジを中心として枢動させることによりカートリッジにおいて折り畳まれることも巻き上げられることもできる。ハンドピース内へのプランジャの移動により、眼内レンズは次いで前方にシフトすることができ、したがって水晶体嚢に挿入され得る。これによる欠点は、このような方法で折り畳まれている眼内レンズが低い固有安定性を有するということである。このような方法で折り畳まれた眼内レンズが水晶体嚢に挿入されると、ハプティックアームが水晶体嚢において比較的迅速に広がる。その際、それらは、眼内レンズが制御されない態様で回転するように、眼内レンズ全体のその光学軸を中心とした揺動移動及び／又は眼内レンズのその長手方向軸を中心とした回転移動を引き起こす可能性がある。このとき手術をしている外科医にとって眼内レンズを望ましい位置へ戻すことは難しい。これが完全に達成されない場合、患者が最適な視力を取得しないという可能性がある。
【発明の概要】
【発明が解決しようとする課題】
【０００７】
眼科手術用注射器システムであって、それにより眼科手術用注射器システムに含まれる眼内レンズが、注射器システムの分注デバイスを通じて容易且つ安全に運ばれ得る眼科手術用注射器システムを利用可能にすることが本開示の目的であり、ここで、注射器システムはコンパクトなデザインのものであり、患者は、当該注射器システムでの眼内レンズの移植後最適な視力を与えられる。
【課題を解決するための手段】
【０００８】
この目的は、本明細書において開示された眼科手術用注射器システムにより達成される。
【０００９】
眼科手術用注射器システムは、
注射器であって、ハンドピース、プランジャ、及び分注デバイスを有する注射器と、
眼内レンズであって、光学体、光学体から突出しているＣ字型第１ハプティックアーム、及び光学体から突出しているＣ字型第２ハプティックアームを有する眼内レンズと、
眼内レンズが受け入れられるカートリッジであって、注射器に挿入されるカートリッジと、
接触面を有する駆動要素と、
係止要素であって、それによりハンドピースに対して又はカートリッジに対してプランジャの位置が係止され得る係止要素と
を含み、
ｉ）分注デバイスは、基端部に入口開口を、及び末端部に出口開口を有し、眼内レンズは、プランジャの前進移動により、カートリッジを通じて、及び次いで分注デバイスの入口開口を通じて出口開口へ運ばれ得、
ｉｉ）プランジャは、係止要素により第１位置において係止され得、第１位置において、眼内レンズは、カートリッジにおいて、第１ハプティックアームから第２ハプティックアームへの外側距離が８ｍｍより大きく１１ｍｍ未満である圧縮され予備張力をかけられた状態において保持され、
ｉｉｉ）駆動要素の直線移動又は枢動移動は、プランジャの前進移動を第２位置まで少なくとも２ｍｍ〜最大で４ｍｍだけ達成するために、駆動要素の接触面をプランジャと係合させ、その結果として第１ハプティックアームの小区域及び第２ハプティックアームの小区域は光学体より上に配置され、プランジャは係止要素により第２位置において係止され得る。
【００１０】
プランジャが係止されるプランジャの第１位置において、本開示による注射器システムはこのとき眼内レンズがカートリッジにおいて予備張力をかけられるとともに、この状態において保管されることを可能にする。注射器システムが極めて長い時間保管された後でさえも、ハプティックアームは伸縮自在に変形されるのみであり、塑性的に変形されない。注射器システムでは、追加的に、プランジャを第２位置に置くことにより、移植前に眼内レンズをより強く圧縮することが可能である。これは手術の少し前に外科医により行われ得る。
【００１１】
第２位置において、ハプティックアームは光学体より上に配置される。この第２位置は、眼内レンズがプランジャの前進移動により分注デバイスに容易に押し込まれ得るように、カートリッジの翼状部要素を枢動させることにより眼内レンズを折り畳む又は巻き上げるのに有利である。固定要素の使用は、ハプティックアームが少なくとも２ｍｍ〜最大で４ｍｍの所定の経路長さにわたって圧縮されることを確実にする。この追加的な圧縮が比較的短時間のみ施される場合、外科医はこの圧縮を手術の直前に行うことから、ハプティックアームのシャフト上のそれぞれの屈曲ジョイントにおいて塑性変形は生じない。ハプティックアームのシャフト上の屈曲ジョイントの塑性変形の原因となり得る、ハプティックアームが所定の経路長さを超えて偶発的に押される状況は、ハプティックアームは少なくとも２ｍｍ〜最大で４ｍｍの所定の経路長さにわたってのみ圧縮されることから、駆動要素の使用を通じて回避され得る。眼内レンズが比較的コンパクトな形で存在するように、ハプティックアーム間の外側距離はこの状態において比較的短い。したがって、水晶体嚢への移植中、ハプティックアームが時期尚早に展開しないことから、眼内レンズがそれ自体の長手方向軸を中心として又はその光学軸を中心としてねじれることを回避することが可能である。代わりに、患者が最適な視力を与えられるように、光学体が最初に水晶体嚢内で展開し、その後初めてハプティックアームがそれらの元の位置に完全に戻る。
【００１２】
係止要素は典型的には、後ろの方向においてのみプランジャを阻止又はブロックする機械的掛け止め要素、例えばラチェットである。係止要素は、ハンドピースのみと又はカートリッジのみと又はハンドピースとカートリッジとの組合せと係合するようになり得る。係止要素がプランジャをカートリッジと接続する場合、係止は眼内レンズに直接近接して行われ得る。したがって、長期間にわたり得る注射器システムの保管中、眼内レンズは比較的確実で安定的なやり方で予備張力をかけられ得る。
【００１３】
プランジャが第２位置に位置付けられた後、ハプティックアームは光学体より上に位置する。しかしながら、ハプティックアームにより覆われておらず、したがって、光学体の依然として十分に大きい表面積が、ハプティックアームにより、例えばひっかき傷によって、決して損傷を受け得ないままとなる。
【００１４】
本注射器システムのさらなる利点は、駆動要素の使用及び関連するプランジャの所定の長さの前進移動を通じて、眼内レンズが、折り畳まれる前に分注デバイス内の奥まで運ばれ過ぎるという危険はないという点である。代わりに、手術の直前に、外科医はプランジャを第２位置へ運び、粘弾性体をカートリッジへ挿入し、次いで眼内レンズを折り畳むために翼状部アームを互いに向かって移動させるだけでよい。代替的に、粘弾性体はまた眼内レンズが折り畳まれた後で挿入され得る。外科医は次いですぐに、眼内レンズを分注デバイスを通じて運び始めることができる。プランジャのこの移動中、かけられることになる力は比較的一定である。外科医は、ハプティックアームを圧縮するために比較的低い力をかける必要はもはやなく、したがって、外科医は、プランジャの移動中にかけられることになる力の間の大きな違いを考慮に入れる必要はもはやない。全体として、これは、外科医により注射器システムの分注デバイスを通じて眼内レンズが容易且つ安全に運ばれ得ることを意味する。
【００１５】
加えて、本開示による注射器システムは注射器の長さを以前よりも短く保つことが可能である。張力がかかっていない状態にある眼内レンズは、第１ハプティックアームから第２ハプティックアームへおよそ１２ｍｍの外側距離を有し、圧縮され予備張力をかけられた状態においてより短くなる。注射器システムは、したがって、よりコンパクトな形において製造及び供給され得る。
【００１６】
本開示の例示的な実施形態によると、翼状部要素の開位置において、カートリッジへの眼内レンズの挿入が許可されるとともに、翼状部要素を閉位置へ枢動させることにより、挿入された眼内レンズの折り畳みが許可されるように、カートリッジはヒンジに連結された翼状部要素を有する。翼状部要素を閉位置へ枢動させることは、外科医により極めて容易に実施され得、眼内レンズの折り畳みを達成するためにプランジャの前進移動は不要である。
【００１７】
眼内レンズは典型的には疎水性アクリルポリマーでできている。これは数年にわたって眼内レンズを圧縮し、予備張力下におき、保管することを可能にし、それにも関わらずその後眼内レンズは、水晶体嚢に挿入されると、張力がかかっていない状態へと完全に広がることができる。
【００１８】
本開示はここで図面を参照して説明される。
【図面の簡単な説明】
【００１９】
【図１】本開示による注射器システムの概略図を示す。
【図２】平面図において、張力がかかっていない状態の人工眼内レンズの概略図を示す。
【図３】平面図において、第１圧縮状態の人工眼内レンズの概略図を示す。
【図４】平面図において、第２圧縮状態の人工眼内レンズの概略図を示す。
【図５】翼状部要素を備えたカートリッジ及びカートリッジに挿入され圧縮された眼内レンズの概略斜視図を示す。
【図６】注射器システムのプランジャと係合した状態にある駆動要素の概略斜視図を示す。
【発明を実施するための形態】
【００２０】
図１は、本開示による眼科手術用注射器システム１００の例示的実施形態の概略図を示す。注射器システム１００は、ハンドピース２とプランジャ３とを有する注射器１を有する。加えて、注射器１は、分注デバイス４であって、それを通じて人工眼内レンズ５が運ばれ得る分注デバイス４を有する。眼内レンズ５は、光学体６と、そこから突出するとともに互いに反対側にあるように配置される２つのＣ字型ハプティックアーム７、すなわち第１ハプティックアーム７１及び第２ハプティックアーム７２（図２も参照）とを有する。眼内レンズ５は、分注デバイス４の前に注射器システム１００において位置付けられるカートリッジ８に挿入される。前進移動（矢印９を参照）により、ハンドピース２において案内されるプランジャ３はその末端部３１を第２ハプティックアーム７２と接触させることができ、そのときハプティックアーム７２及び７１の両方が光学体６に向かう方向において屈曲する。
【００２１】
眼内レンズ５は、第１ハプティックアーム７１から第２ハプティックアーム７２への外側距離が長さＬ１を有するように製造時には張力がかかっていない状態にある（図２を参照）。長さＬ１は１２ｍｍであり得る。プランジャ３の末端部３１が、ハプティックアーム７１、７２のうちの１つに光学体６の光学軸Ａに垂直な方向において力Ｆをかけると、第１ハプティックアーム７１は屈曲ジョイント７３を中心として屈曲する。屈曲ジョイント７３は第１ハプティックアーム７１のシャフト７４上に設けられている。これと同様に、第２ハプティックアーム７２上には第２屈曲ジョイント７５があり、この第２屈曲ジョイント７５は第２ハプティックアーム７２の第２シャフト７６上に設けられている。典型的には疎水性アクリルポリマーである眼内レンズの材料が伸縮性を有しているために、ハプティックアームのそのような屈曲は光学体６の方向において許され得る。
【００２２】
図３は、プランジャが第１位置に位置するときの第１圧縮状態における眼内レンズ５を示す。第１ハプティックアーム７１から第２ハプティックアーム７２への外側距離はこのときＬ２であり、Ｌ２はＬ１未満である。Ｌ２は８ｍｍより大きく１１ｍｍ未満である。
【００２３】
プランジャが第２位置に位置するとき、これは眼内レンズ５のなおより大きい圧縮をもたらし、ハプティックアーム７１、７２の各々の小区域５１は光学体６上にあるとともに、そこで光学体６を部分的に覆う（図４を参照）。予備張力をかけられた眼内レンズ５の光学体６は、平面図において、ハプティックアーム７１、７２により覆われていない円形の表面領域６１を有し、この円形の表面領域６１は典型的には少なくとも４．５ｍｍの直径Ｄ１を有する。円形の表面領域６１の外周は図４において点線で示されている。眼内レンズ５のこの圧縮された状態において、第１ハプティックアーム７１から反対側の第２ハプティックアーム７２までの外側距離は長さＬ３を有し、これは長さＬ２又はＬ１よりも短い。長さＬ１が１２ｍｍであるとき、眼内レンズ５のそのような圧縮はおよそ６ｍｍ〜９ｍｍ、典型的には６ｍｍ〜７．５ｍｍ未満の長さＬ３をもたらす。小区域５１は、光学体６の外径Ｄ２のリングと円形の表面領域６１の直径Ｄ１のリングとの間に形成された円形のリングの一部を表す表面である（図２及び図４を参照）。
【００２４】
図５は、カートリッジ８に挿入され圧縮された眼内レンズ５の斜視図を示す。プランジャ３の末端部３１は第２ハプティックアーム７２と接触している。カートリッジ８は、図５において開いた位置において示されている２つの翼状部要素８１を有する。翼状部要素８１を関連するヒンジ８２、典型的にはフィルムヒンジを中心として枢動させることにより、眼内レンズ５は、それが分注デバイス４の入口開口４１に押し込まれ得るように、折り畳まれることも巻き上げられることもできる。プランジャ３を矢印９の方向に引き続き移動させることにより、眼内レンズ５は分注デバイス４の末端部に出現し、分注デバイス４の出口開口４２で、目の水晶体嚢へ導入されることになる。
【００２５】
図６は、プランジャ３と係合した状態にある駆動要素１１の概略斜視図を示す。駆動要素１１は、平面の接触面１２であって、プランジャ３の対応する接触面３２に対して形の合った係合で連結され得る平面の接触面１２を有する。接触面１２及び３２は典型的には弾性的に予備張力をかけられている。典型的には前進移動（矢印９を参照）の方向に垂直な矢印９１の方向における駆動要素１１の直線移動により、プランジャ３は矢印９の方向において、少なくとも２ｍｍ〜最大で４ｍｍの所定の距離だけ移動する。接触面１２は典型的には傾斜部として構成され、接触面１２の傾斜面とプランジャ３の長手方向軸との間の角度αは４５°より大きい。平らな表面を有する代わりに、接触面１２は自由な形状の表面、又は違ったように曲がっている表面として構成されることもできるが、但し、駆動要素を直線移動又は枢動移動で駆動させることは、少なくとも２ｍｍ及び最大で４ｍｍの所定の距離だけプランジャの変位をもたらす。
【００２６】
本開示の例示的な実施形態の前述の説明は本発明を例証及び説明するものである。追加的に、本開示は例示的な実施形態のみを示すとともに説明しているが、上で言及したとおり、本開示は様々な他の組合せ、修正形態及び環境での使用も可能であり、本明細書において表されている概念の範囲内において変更又は修正することも可能であり、上記の教示及び／又は関連する技術分野の技能若しくは知識と同等であることを理解されたい。
【００２７】
「含む（ｃｏｍｐｒｉｓｉｎｇ）」（及びその文法的バリエーション）という用語は本明細書で使用される際、「有する」又は「含む（ｉｎｃｌｕｄｉｎｇ）」の包括的な意味において使用され、「からのみ構成される」という排他的な意味においては使用されない。「ａ」及び「ｔｈｅ」という用語は、本明細書で使用される際、単数のみならず複数も包含すると理解される。
【００２８】
この明細書において引用されている全ての出版物、特許及び特許出願は、各独立した出版物、特許又は特許出願が参照により組み込まれるものであると具体的及び別個に示されるかのように、参照により、全ての目的のために、本明細書に組み込まれる。矛盾があった場合、本発明の開示が優先される。
【符号の説明】
【００２９】
１  注射器
２  ハンドピース
３  プランジャ
４  分注デバイス
５  眼内レンズ
６  光学体
７  ハプティックアーム
８  カートリッジ
９  前進移動のための矢印
１１  駆動要素
１２  駆動要素の接触面
３１  プランジャの末端部
３２  プランジャの接触面
４１  分注デバイスの入口開口
４２  分注デバイスの出口開口
５１  ハプティックアームの小区域
６１  円形の表面領域
７１  第１ハプティックアーム
７２  第２ハプティックアーム
７３  第１ハプティックアーム上の屈曲ジョイント
７４  第１ハプティックアームのシャフト
７５  第２ハプティックアーム上の屈曲ジョイント
７６  第２ハプティックアームのシャフト
８１  翼状部要素
８２  ヒンジ
９１  駆動要素の牽引方向
１００  注射器システム
Ａ  光学軸
Ｄ１  ハプティックアームにより覆われていない光学体の円形の表面領域の直径
Ｄ２  光学体の外径
【図１】
2021531919.tif 000003
【図２】
2021531919.tif 000004
【図３】
2021531919.tif 000005
【図４】
2021531919.tif 000006
【図５】
2021531919.tif 000007
【図６】
2021531919.tif 000008
【国際調査報告】
2021531919.tif 000009